【事件の表示】
　特許第３１３８０５９号「水性組成物」の請求項１、２に係る特許に対する特許異議の申立てについて、次のとおり決定する。
【結　論】
　訂正を認める。
　特許第３１３８０５９号の請求項１、２に係る特許を維持する。
【理　由】
１．手続きの経緯
　本件特許第３１３８０５９号の請求項１、２に係る発明は、平成４年５月２７日に特許出願（特願平４−１３４６３３号）され、平成１２年１２月８日に特許権の設定登録がされた。その後、特許異議申立人・相模太朗と特許異議申立人・日本香料工業会とにより、特許異議の申し立てがなされた。（なお、特許異議申立人・相模太朗による特許異議申立は、平成１４年１月３０日付けで却下された。）特許取消理由が通知された後、意見書提出の指定期間内である平成１４年４月１５日に明細書の訂正の請求がなされた。
２．訂正請求について
（１）訂正の内容
（イ）訂正事項イ
　特許請求の範囲の
「【請求項１】　（Ａ）ジアルキルスルフィドを含有し且つ（Ｂ）２５℃における蒸気圧が２０μＨｇ以上のエステルを５０重量％以上含有する香料組成物を含有し、使用時に５０重量倍以上の水に溶解することを特徴とする水性組成物。
　【請求項２】　（Ａ）ジアルキルスルフィドを含有し且つ（Ｃ）テルペン（炭素数１０）若しくはセスキテルペン（炭素数１５）又はそれらの誘導体を４０重量％以上含有する香料組成物を含有し、使用時に５０重量倍以上の水に溶解することを特徴とする水性組成物。」
を、
「【請求項１】　（Ａ）ジアルキルスルフィドを０．１〜２．０重量％含有し且つ（Ｂ）２５℃における蒸気圧が２０μＨｇ以上のエステルを５０重量％以上含有する香料組成物を含有し、使用時に５０重量倍以上の水に溶解することを特徴とする水性組成物。
　【請求項２】　（Ａ）ジアルキルスルフィドを０．１〜１．０重量％含有し且つ（Ｃ）テルペン（炭素数１０）若しくはセスキテルペン（炭素数１５）又はそれらの誘導体を４０重量％以上含有する香料組成物を含有し、使用時に５０重量倍以上の水に溶解することを特徴とする水性組成物。」
に訂正する
（ロ）訂正事項ロ
　発明の詳細な説明の欄の第【０００７】段落の
「（Ａ）ジアルキルスルフィドを含有し且つ（Ｂ）」、
「（Ａ）ジアルキルスルフィドを含有し且つ（Ｃ）」
を
「（Ａ）ジアルキルスルフィドを０．１〜２．０重量％含有し且つ（Ｂ）」、
「（Ａ）ジアルキルスルフィドを０．１〜１．０重量％含有し且つ（Ｃ）」
に訂正する。
（ハ）訂正事項ハ
　発明の詳細な説明の第【００１１】段落を削除する。
（ニ）訂正事項ニ
　発明の詳細な説明の第【００１５】段落を削除する。
（ホ）訂正事項ホ
　発明の詳細な説明の第【００１６】段落の
「（Ａ）成分及び（Ｂ）成分を含有」
を
「（Ａ）成分０．１〜２．０重量及び（Ｂ）成分５０重量％以上を含有」
に訂正する。
（ヘ）訂正事項ヘ
　発明の詳細な説明の第【００２０】段落の
「あり、その配合量は、・・・が更に好ましい。」
を
「ある」
に訂正する。　
（ト）訂正事項ト
　発明の詳細な説明の第【００２３】段落を削除する。
　
（２）訂正の可否について
（イ）訂正事項イ
　訂正事項イは、請求項１及び請求項２のジアルキルスルフィドの配合量を特定の範囲に限定するものであるので、特許請求の範囲の減縮を目的とする訂正である。
　請求項１の訂正は、第【００２９】段落の【表１】のジアルキルスルフィドの配合量からみて、願書に添付した明細書に記載した事項の範囲内での訂正である。
　請求項２の訂正は、第【００４２】段落の【表４】のジアルキルスルフィドの配合量からみて、願書に添付した明細書に記載した事項の範囲内での訂正である。　
（ロ）訂正事項ロ
　訂正事項ロは、訂正事項イにより特許請求の範囲【請求項１】及び【請求項２】が減縮されたことに伴い、発明の詳細な説明の対応部分の整合を計るものであるので、明瞭でない記載の釈明を目的とする訂正であり、上記訂正事項イと同様に願書に添付した明細書に記載した事項の範囲内での訂正である。
（ハ）訂正事項ハ
　訂正事項ハは、訂正事項イにより特許請求の範囲【請求項１】が減縮されたことに伴い、発明の詳細な説明の対応部分の整合を計るものであるので、明瞭でない記載の釈明を目的とする訂正であり、上記訂正事項イと同様に願書に添付した明細書に記載した事項の範囲内での訂正である。
（ニ）訂正事項ニ
　訂正事項ニは、訂正事項イにより特許請求の範囲【請求項１】が減縮されたことに伴い、発明の詳細な説明の対応部分の整合を計るものであるので、明瞭でない記載の釈明を目的とする訂正であり、上記訂正事項イと同様に願書に添付した明細書に記載した事項の範囲内での訂正である。
（ホ）訂正事項ホ
　訂正事項ホは、訂正事項イにより特許請求の範囲【請求項１】が減縮されたことに伴い、発明の詳細な説明の対応部分の整合を計るものであるので、明瞭でない記載の釈明を目的とする訂正であり、上記訂正事項イと同様に願書に添付した明細書に記載した事項の範囲内での訂正である。
（ヘ）訂正事項ヘ
　訂正事項ヘは、訂正事項イにより特許請求の範囲【請求項２】が減縮されたことに伴い、発明の詳細な説明の対応部分の整合を計るものであるので、明瞭でない記載の釈明を目的とする訂正であり、上記訂正事項イと同様に願書に添付した明細書に記載した事項の範囲内での訂正である。
（ト）訂正事項ト
　訂正事項トは、訂正事項イにより特許請求の範囲【請求項２】が減縮されたことに伴い、発明の詳細な説明の対応部分の整合を計るものであるので、明瞭でない記載の釈明を目的とする訂正であり、上記訂正事項イと同様に願書に添付した明細書に記載した事項の範囲内での訂正である。
　
　そして、上記訂正事項イ〜トは、いずれも、実質上特許請求の範囲を拡張し、または変更するものではない。
　
（３）むすび
　したがって、本件訂正は、特許法第１２０条の４第２項並びに同条第３項で準用する同法第１２６条第２項及び第３項の規定に適合するので、訂正を認める。
　
３．特許異議申立についての判断
（１）異議申立の理由の概要
　特許異議申立人・日本香料工業会は、特許第３１３８０５９号の請求項１〜２に係る発明は、甲第１号証〜甲第３号証に記載された発明であるから、特許法第２９条第１項第３号に該当し、また、請求項１〜２に係る発明は、甲第１号証〜甲第３号証に記載された発明から当業者が容易に発明できたものであるので、本件特許は同法第１１３条第１項第２号に該当し、取り消されるべきものである旨を主張する。
　
（２）本件発明
  上記２．に示したように、本件訂正は認められるから、本件特許の請求項１〜２に係る発明は、訂正明細書の特許請求の範囲の請求項１〜２に記載された次のとおりのものである（以下、請求項１に記載の発明と請求項２に記載の発明とを併せて、本件発明という）。
「【請求項１】　（Ａ）ジアルキルスルフィドを０．１〜２．０重量％含有し且つ（Ｂ）２５℃における蒸気圧が２０μＨｇ以上のエステルを５０重量％以上含有する香料組成物を含有し、使用時に５０重量倍以上の水に溶解することを特徴とする水性組成物。
　【請求項２】　（Ａ）ジアルキルスルフィドを０．１〜１．０重量％含有し且つ（Ｃ）テルペン（炭素数１０）若しくはセスキテルペン（炭素数１５）又はそれらの誘導体を４０重量％以上含有する香料組成物を含有し、使用時に５０重量倍以上の水に溶解することを特徴とする水性組成物。」
　
（３）刊行物に記載された発明
　特許異議申立人・日本香料工業会が甲第１号証〜甲第３号証として提出した刊行物には、それぞれ以下の事項が記載されている。
（イ）甲第１号証：香料化学総覧［ＩＩ］（昭和４３年１月１５日発行　廣川書店）　第720〜721頁、第1464頁
（ａ）ジメチル・チオエーテルが、ペパーミント油、ゼラニウム油中に存在していること
（ｂ）ゼラニウム油を１０％含有し、ゲラニオールなどテルペン油を４０％超含有する「バスソルト」の処方例
（ロ）特開平２−１１５１２号公報
（ａ）「本発明の浴用剤には、前記成分の他必要に応じて、本発明の効果を阻害しない量の範囲で・・・精油類・・・を添加することもできる。それらの具体例を以下に示す。・・・精油類としては、例えば、・・・ペパーミント油、ローズ油・・・等がある。」（第４頁左下欄〜右下欄）
（ｂ）硫化ナトリウム　５重量％、亜硫酸ナトリウム　３重量％、硫酸ナトリウム　バランス量、色素　０．１重量％、ベンジルアセテート　２重量％、ヘディオン　１重量％を含有する浴用剤。（実施例４）
（ｃ）硫化ナトリウム　５重量％、亜硫酸ナトリウム　３重量％、硫酸ナトリウム　バランス量、色素　０．１重量％、ゲラニルアセテート　１重量％を含有する浴用剤。（実施例５）
（ｄ）硫化ナトリウム　５重量％、亜硫酸ナトリウム　３重量％、硫酸ナトリウム　バランス量、色素　０．１重量％、ベンジルアセテート　１重量％、ゲラニルアセテート　２重量％、リリーアルデヒド　１重量％を含有する浴用剤。（実施例７）
（ハ）香料の事典（１９８０年１０月１０日発行　朝倉書店）　第96頁
　浴用剤の付香率が、一般に１．０〜１．５％ぐらいであること。
（３）対比・判断
（イ）特許法第２９条第１項第３号について
　甲第１号証〜甲第３号証には、（ａ）ジアルキルスルフィドを０．１〜２．０重量％含有し且つ２５℃における蒸気圧が２０μＨｇ以上のエステルを５０重量％以上含有する香料組成物を含有する水性組成物について、あるいは、（ｂ）ジアルキルスルフィドを０．１〜１．０重量％含有し且つテルペン（炭素数１０）若しくはセスキテルペン（炭素数１５）又はそれらの誘導体を４０重量％以上含有する香料組成物を含有する水性組成物について、記載はない。また、それらを示唆する記載もない。
　したがって、本件発明が甲第１号証〜甲第３号証に記載された発明であるとすることができない。
（ロ）特許法第２９条第２項について
　甲第１号証には、ゼラニウム油を１０％含有するバスソルトが記載されており、また、甲第２号証にはペパーミント油あるいはローズ油を含有することが可能な浴用剤が記載されている。しかしながら、ゼラニウム油、ペパーミント油、ローズ油中にジアルキルスルフィドが含有されているとしても、その含有量が０．１〜２．０重量％あるいは０．１〜１．０重量％となっていることについては、甲第１号証〜甲第３号証に記載も示唆もない。
　これに対して本件発明は、ジアルキルスルフィドを０．１〜２．０重量％あるいは０．１〜１．０重量％含有させることにより、大量の水に溶解した際の香りの強さが充分で且つ持続性に優れ、香調が含有させる香料組成物の香調と大きく変わらない、香料組成物を含有する水性組成物を提供するものであり、甲第１号証〜甲第３号証から当業者が容易に発明できたものと認めることができない。
　
４．むすび
　以上のとおりであるから、特許異議申立の理由及び証拠によっては、本件特許の請求項１、２に係る発明についての特許を取り消すことができない。
　また、他に本件特許の請求項１、２に係る発明についての特許を取り消すべき理由を発見しない。
　よって、結論のとおり決定する。
【異議決定日】
平成１４年４月２３日（２００２．４．２３）
【訂正の要旨】
審決（決定）の【理由】欄参照。
（５４）【発明の名称】
水性組成物
（５７）【特許請求の範囲】
　【請求項１】　（Ａ）ジアルキルスルフィドを
０．１〜２．０重量％
　【請求項２】　（Ａ）ジアルキルスルフィドを
０．１〜１．０重量％
【発明の詳細な説明】
　【０００１】
　【産業上の利用分野】
　本発明は、入浴剤等の水性組成物に関し、詳しくは、５０重量倍以上の水に溶解して用いても、香調が劣化しない入浴剤等の水性組成物に関する。
　【０００２】
　【従来の技術及び発明が解決しようとする課題】
　入浴剤、水洗トイレ用芳香剤及び洗浄剤等は、多量の水に溶解して用いられる水性組成物であり、このような水性組成物は、使用時において、長時間経過後もその芳香を持続することが要求される。
　【０００３】
　しかし、上述の従来の入浴剤等の水性組成物は、上記要求を充分に満たすものではなかった。
　【０００４】
　そこで、上記入浴剤等の製品の香りの強さ、持続性等を向上させるため、種々の試み、例えば、次の▲１▼〜▲４▼のような試みが行われている。
▲１▼高沸点（低揮発性）香料の大量使用。
▲２▼香料組成物の製品への配合量アップ。
▲３▼保留剤の配合。
▲４▼包接剤の利用。
　【０００５】
　しかし、上記▲１▼を適用した製品は、香調が限定されるという欠点があり、特に、テルペンとその誘導体を用いたフレッシュな香料の作成が困難である。上記▲２▼を適用した製品は、液状製品系への溶解又は粉状製品系もしくはこれを成形した製品系への配合の面での制約が大きくなる。また、粉状製品系では、その生産性が著しく低下する。さらに、製品使用中に時間とともに香りの質が変化するという問題もあり、このような問題は、上記▲１▼を適用した製品についても生じる。また、上記▲３▼を適用した製品は、保留剤が液状の場合には、上記▲２▼を適用した製品と同様の問題を有する。さらに、上記▲４▼を適用した製品は、包接剤と香料成分との親和性の存在により、使用可能な香料成分が限定され、さらに、包接剤の使用によって価格が上昇するという欠点がある。
　【０００６】
　従って、本発明の目的は、多量の水に溶解した際の香りの強さが充分で且つ持続性に優れ、香調が含有させる香料組成物の香調と大きく変わらず、しかも該香料組成物の配合の面での制約が少ない、水性組成物を提供することにある。
　【０００７】
　【課題を解決するための手段】
　本発明者等は、鋭意研究した結果、従来は悪臭物質とされていたジアルキルスルフィドと特定の香料とを含有させた水性組成物が、上記目的を達成することを知見した。
　本発明は、上記知見に基づいてなされたもので、（Ａ）ジアルキルスルフィドを
０．１〜２．０重量％
　また、本発明は、（Ａ）ジアルキルスルフィドを
０．１〜１．０重量％
　【０００８】
　以下、まず、第一発明の水性組成物について詳述する。
　第一発明における香料組成物の（Ａ）成分であるジアルキルスルフィドとしては、下記〔化１〕の一般式（Ｉ）で表される化合物が挙げられる。
　【０００９】
　【化１】
　　Ｒ−（Ｓ）ｎ−Ｒ　　　　　（Ｉ）
　（ｎ＝１，２，３、Ｒは炭素数１〜４のアルキル基を示す。）
　【００１０】
　上記一般式（Ｉ）で表されるジアルキルスルフィドとしては、ジメチルジスルフィド、ジメチルトリスルフィド、ジエチルジスルフィド、ジエチルトリスルフィド、ジプロピルジスルフィド、ジブチルジスルフィド等が挙げられる。
　上記一般式（Ｉ）で表されるジアルキルスルフィドは、通常、オニオン、ポテト、キャロット様香気を有し種々のフレーバー等として用いられており、一般的に臭化アルキルと硫酸ナトリウムとの反応により製造される。
　【００１１】　削除
　【００１２】
　また、第一発明における香料組成物の（Ｂ）成分である２５℃における蒸気圧が２０μＨｇ以上のエステルとしては、例えば、イソアミルアセテート、イソアミルプロピオネート、イソブチルｎ−ブチレート、ｎ−アミルプロピオネート、エチルアセトアセテート、ヘプチルアセテート、メチルベンゾエート、ベンジルフォルメート、ボルニルフォルメート、エチルベンゾエート、スチライルアセテート、ジエチルサクシネート、メチルフェニルアセテート、ベンジルアセテート、メチルサリチレート、メチルヘプチンカーボネート、ｐ−クレジルアセテート、リナリルアセテート、イソプレゴールアセテート、ボルニルアセテート、イソボルニルアセテート、メンチルアセテート、エチルフェニルアセテート、ベンジルプロピオネート、テルペニルアセテート、フェニルエチルアセテート、リナリルプロピオネート、エチルサリチレート、ゲラニルフォルメート、シトロネリルアセテート、ボルニルイソブチレート、ｐ−ｔ−ブチルシクロヘキシルアセテート、フェニルエチルプロピオネート、ジメチルベンジルカルビノールアセテート、ゲラニルアセテート、フェニルエチルイソブチレート、ジエチルマレート、フェニルプロピルアセテート、ジメチルアントラニレート、シトロネリルフォルメート、ネリルアセテート、ヘキシルアセテート等が挙げられる。
　【００１３】
　尚、上記エステルの蒸気圧の測定は、「香料の化学」（赤星著、大日本図書〔Ｓ６３．３．１０発行〕）によった。上記蒸気圧が２０μＨｇ未満であると、充分な香りの強度が得られない。
　【００１４】
　上記（Ｂ）成分の配合量は、用途により異なるが、通常、本発明における香料組成物中、５０重量％以上であり、好ましくは５０〜９０重量％、更に好ましくは５０〜７０重量％である。（Ｂ）成分の配合量が５０重量％未満であると、香りの持続性が充分でない。
　【００１５】　削除
　【００１６】
　第一発明における香料組成物は、上記（Ａ）成分
０．１〜２．０重量％
５０重量％以上
　【００１７】
　第一発明の水性組成物は、入浴剤、水洗トイレ用芳香剤、水洗トイレ用洗浄剤等の通常の水性組成物に、上記香料組成物を通常の手段により含有させて調製される。本発明の水性組成物の形態は特に制限されず、例えば、液状製品系、粉末状製品系及びこれを成形した製品系等として用いることができる。
　【００１８】
　第一発明の水性組成物における上記香料組成物の含有量は、該水性組成物の種類により異なるが、通常、上述のような通常の水性組成物１００重量部に対し、好ましくは０．０５〜１５重量部、更に好ましくは０．１〜１０重量部である。
　【００１９】
　第一発明の水性組成物は、使用時に５０重量倍以上、好ましくは１００〜５００００重量倍の水に溶解されて用いられる。
　【００２０】
　次に、第二発明の水性組成物について説明する。
　第二発明における香料組成物の（Ａ）成分であるジアルキルスルフィドは、上記第一発明における香料組成物の（Ａ）成分と同じで
ある
　【００２１】
　第二発明における香料組成物の（Ｃ）成分としては、テルペン（炭素数１０）若しくはセスキテルペン（炭素数１５）又はそれらの誘導体が用いられる。上記テルペン（炭素数１０）及びその誘導体としては、例えば、α−ピネン、リモネン、ターピノレン、ミルセン、リナロール、ゲラニオール、シトロネロール、ｌ−メントール、シトラール、トロネラール、樟脳、メントンが挙げられる。また、上記セスキテルペン（炭素数１５）及びその誘導体としては、例えば、β−カリオフィレン、サンタロール、ネロリドール、セドロール、ベチベロール、パチュリアルコールが挙げられる。
　【００２２】
　上記（Ｃ）成分の配合量は、用途により異なるが、通常、本発明における香料組成物中、４０重量％以上であり、好ましくは４０〜９０重量％、更に好ましくは４０〜８０重量％である。（Ｃ）成分の配合量が４０重量％未満であると、香りの強さ、持続性が不充分となり、さらに（Ａ）成分の匂いが強くなり、香調が悪化するため好ましくない。
　【００２３】　削除
　【００２４】
　第二発明における上記香料組成物の含有量は、該水性組成物の種類により異なるが、通常、上述のような通常の水性組成物１００重量部に対し、好ましくは０．０５〜１５重量部、更に好ましくは０．１〜１０重量部である。
　【００２５】
　第二発明の水性組成物は、第一発明と同じく、使用時に５０重量倍以上、好ましくは１００〜５００００重量倍の水に溶解されて用いられる。
　【００２６】
　尚、上述した以外の点で、第一発明の水性組成物で説明した内容は、そのまま第二発明の水性組成物に適用される。
　【００２７】
　【実施例】
　以下に、実施例を挙げ、本発明の水性組成物を具体的に説明するが、本発明はこれらの実施例に制限されるものではない。
　【００２８】
（実施例１，２及び比較例１）
　下記〔表１〕に示す香料処方による香料組成物を調製した。
　【００２９】
　【表１】
　【００３０】
　上記〔表１〕に示す香料組成物を用いて下記組成の発泡系弱酸性入浴剤を得た。得られた入浴剤について、それらの効果を下記〔試験例１〕により評価した。
　【００３１】
（発泡系弱酸性入浴剤）
　　　　成　分　　　　　　　　　　　　　　　　　　　　　　　　　　重量部
　　・無水芒硝　　　　　　　　　　　　　　　　　　　　　　　　３０
　　・炭酸水素ナトリウム　　　　　　　　　　　　　　　　　　　５５
　　・コハク酸　　　　　　　　　　　　　　　　　　　　　　　　１５
　　・香料組成物（〔表１〕参照）　　　　　　　　　　　　　　　　１
　　・色　　素　　　　　　　　　　　　　　　　　　　　　　　　微量
　【００３２】
　〔試験例１〕
　上記入浴剤５０グラムを、４０℃の温水１５０リットルに投入し、専門パネラー５名により、香調及び持続性（経時変化）を下記（評価基準）により評価した。その結果を下記〔表２〕に示す。
　【００３３】
（評価基準）
　　◎：香調は、配合した香料組成物自体の香調と同様。
　　○：香調は、配合した香料組成物自体の香調とほぼ同様。
　　△：香調は、配合した香料組成物自体の香調と同様でやや弱い。
　　×：香調は、配合した香料組成物自体の香調から変化しており、香りも弱い。
　【００３４】
　【表２】
　【００３５】
　上記〔表２〕に示す結果から明らかなように、本発明の水性組成物は、多量の水に溶解しても、その香調が、配合した香料組成物自体の香調と比べてほとんど変化せず、その持続性に優れたものである。
　【００３６】
（実施例３，４及び比較例２）
　上記〔表１〕に示す香料組成物を用いて下記組成の水洗オートクリーナーを常法により調製し、２０ｇを固型化した。得られた水洗オートクリーナーについて、それらの効果を下記〔試験例２〕により評価した。
　【００３７】
　（水洗オートクリーナー）
　　　　　　　　　　　　　　　　　　　　　　　　　　　　　　　　　重量部
　　・ポリエチレングリコール　　　　　　　　　　　　　　　　　６５
　　・クエン酸ナトリウム　　　　　　　　　　　　　　　　　　　１５
　　・硫酸マグネシウム　　　　　　　　　　　　　　　　　　　　　７
　　・香料組成物（〔表１〕参照）　　　　　　　　　　　　　　　１０
　　・色素　　　　　　　　　　　　　　　　　　　　　　　　　　　２
　【００３８】
　【００３９】
　〔試験例２〕
　固形化した上記水洗オートクリーナー２０ｇをトイレにセットした。４人家族の一ヵ月間使用を想定し、その目安として５００回のフラッシュテストを行い、香調の変化及び香りの強さを〔試験例１〕と同様に評価した。その結果を下記〔表３〕に示す。
　【００４０】
　【表３】
　【００４１】
実施例５，６及び比較例３
　下記〔表４〕に示す香料処方による香料組成物を調製した。
　【００４２】
　【表４】
　【００４３】
　調製した香料組成物を用いて下記組成の発泡系弱酸性入浴剤を得た。得られた入浴剤について、それらの効果を下記〔試験例３〕により評価した。
　【００４４】
（発泡系弱酸系入浴剤）
　　　　成　分　　　　　　　　　　　　　　　　　　　　　　　　　　重量部
　　・無水芒硝　　　　　　　　　　　　　　　　　　　　　　　　３０
　　・炭酸水素ナトリウム　　　　　　　　　　　　　　　　　　　５５
　　・コハク酸　　　　　　　　　　　　　　　　　　　　　　　　１５
　　・香料組成物（〔表４〕参照）　　　　　　　　　　　　　　　　１
　　・色素　　　　　　　　　　　　　　　　　　　　　　　　　　微量
　【００４５】
〔試験例３〕
　上記入浴剤５０ｇを、４０℃の温水１５０リットルに投入し、専門パネラー５名により、香調及び持続性（経時変化）を〔試験例１〕と同様にして評価した。その結果を下記〔表５〕に示す。
　【００４６】
　【表５】
　【００４７】
　【発明の効果】
　本発明の水性組成物は、多量の水に溶解した際の香りの強さが充分で且つ持続性に優れ、香調が含有させる香料組成物の香調と大きく変わらず、しかも該香料組成物の配合の面での制約が少ないものである。